(57)【要約】【課題】  バックライト装置の光源に十分な寿命を確保することができ、かつ、高い表示品位も得ることができる電気光学装置およびそれを用いた電子機器を提供すること。【解決手段】  電気光学装置１において、光源駆動条件調整部９は、測温センサ７による温度計測結果に基づいて、温度が高い場合には、ＬＥＤ６１に供給する駆動電流を低減させ、温度が低い場合には、ＬＥＤ６１に供給する駆動電流を増大させるようにＬＥＤ駆動ＩＣ６４を制御する。また、光源駆動条件調整部９は、測光センサ７による照度計測結果において、外光の照度が高い場合には、ＬＥＤ６１に供給する駆動電流を低減させ、外光の照度が低い場合には、ＬＥＤ６１に供給する駆動電流を増大させるようにＬＥＤ駆動ＩＣ６４を制御する。【選択図】  図６
2006039242.tif 000002
【特許請求の範囲】
【請求項１】
光源としての発光素子および該発光素子を駆動する光源駆動手段を備えたバックライト光源装置と、該バックライト光源装置から出射された光が入射される電気光学パネルと、該電気光学パネルを駆動するためのパネル駆動手段とを有する電気光学装置において、
前記発光素子又は電気光学パネル周辺の温度を直接あるいは間接的に計測する測温センサと、
前記電気光学パネルに照射される外光の照度を直接あるいは間接的に検出する測光センサと、
前記測温センサによる温度計測結果および前記測光センサによる照度計測結果に基づいて、前記発光素子の駆動条件を調整する光源駆動条件調整手段と、
を有していることを特徴とする電気光学装置。
【請求項２】
請求項１において、前記測光センサは、前記電気光学パネルの、画像が表示される側の面上の画像表示領域近傍、かつ、該画像表示領域を避けた領域に配置されていることを特徴とする電気光学装置。
【請求項３】
請求項２において、前記測光センサは、前記電気光学パネルにおいて、前記画像表示領域よりも前記パネル駆動手段が設けられている側に配置されていることを特徴とする電気光学装置。
【請求項４】
請求項１ないし３のいずれかにおいて、前記光源駆動条件調整手段は、前記測温センサによる温度計測結果に基づいて、温度が高いときには前記発光素子の発光強度を低くし、温度が低いときには前記発光素子の発光強度を高くするとともに、前記測光センサによる照度計測結果に基づいて、外光の照度が高いときには前記発光素子の発光強度を低くし、外光の照度が低いときには前記発光素子の発光強度を高くすることを特徴とする電気光学装置。
【請求項５】
請求項１ないし４のいずれかにおいて、前記光源駆動条件調整手段は、前記測温センサによる温度計測結果および前記測光センサによる照度計測結果に基づいて、前記発光素子に印加する電圧値あるいは電流値を調整することを特徴とする電気光学装置。
【請求項６】
請求項１ないし５のいずれかにおいて、前記光源駆動手段は光源駆動用ＩＣであり、前記パネル駆動手段はパネル駆動用ＩＣであり、
前記パネル駆動用ＩＣには、前記光源駆動条件調整手段が構成されているとともに、前記測温センサによる温度計測結果および前記測光センサによる照度計測結果が入力されることを特徴とする電気光学装置。
【請求項７】
請求項１ないし５のいずれかにおいて、前記光源駆動手段は光源駆動用ＩＣであり、前記パネル駆動手段はパネル駆動用ＩＣであり、
前記光源駆動用ＩＣには、前記光源駆動条件調整手段が構成されているとともに、前記測温センサによる温度計測結果および前記測光センサによる照度計測結果が入力されることを特徴とする電気光学装置。
【請求項８】
請求項１ないし７のいずれかにおいて、前記光源駆動手段は光源駆動用ＩＣであり、前記パネル駆動手段はパネル駆動用ＩＣであり、
前記測温センサおよび前記測光センサの少なくとも一方は、前記光源駆動用ＩＣ内または前記パネル駆動用ＩＣ内に構成されていることを特徴とする電気光学装置。
【請求項９】
請求項１ないし８のいずれかにおいて、さらに、前記電気光学パネルを保持するフレームを有し、
前記測光センサには、前記フレームに設けられた透過部を介して外光が入射されることを特徴とする電気光学装置。
【請求項１０】
請求項１ないし８のいずれかにおいて、さらに、前記電気光学パネルを保持するフレームを有し、
前記測光センサは、前記フレーム内に設けられ、前記測光センサには、前記フレーム内に入射した外光が間接的に入射されることを特徴とする電気光学装置。
【請求項１１】
請求項１ないし１０のいずれかに規定する電気光学装置を備えていることを特徴とする電子機器。
【発明の詳細な説明】
【技術分野】
【０００１】
本発明は、電気光学パネルおよびバックライト装置を備えた電気光学射装置、およびそれを用いた電子機器に関するものである。さらに詳しくは、バックライト装置の駆動技術に関するものである。
【背景技術】
【０００２】
各種の電気光学装置のうち、透過型液晶装置では、バックライト光源装置から出射された光が液晶パネルを透過する際に光変調して透過モードでの画像表示を行う。ここで、バックライト装置の光源として用いられるＬＥＤは、使用環境温度毎に定格駆動電流値が定められている。従って、使用環境温度を実際に計測し、その温度計測結果に応じて、ＬＥＤを駆動する際の電流値を調整することにより、ＬＥＤの寿命を延ばすことが提案されている（例えば、特許文献１参照）。
【特許文献１】特開２００２−１１７９８６号公報
【発明の開示】
【発明が解決しようとする課題】
【０００３】
しかしながら、特許文献１に記載の技術では、ＬＥＤが電気光学装置のバックライト用光源として用いられていることに対して十分な配慮がなされていないため、ＬＥＤの寿命を延長することができても、周辺の明るさを考慮していないので、表示品位が犠牲になっているという問題点がある。
【０００４】
以上の問題点に鑑みて、本発明の課題は、バックライト装置の光源に十分な寿命を確保することができ、かつ、高い表示品位も得ることができる電気光学装置およびそれを用いた電子機器を提供することにある。
【課題を解決するための手段】
【０００５】
上記課題を解決するために、本発明では、光源としての発光素子および該発光素子を駆動する光源駆動手段を備えたバックライト光源装置と、該バックライト光源装置から出射された光が入射される電気光学パネルと、該電気光学パネルを駆動するためのパネル駆動手段とを有する電気光学装置において、前記発光素子又は電気光学パネル周辺の温度を直接あるいは間接的に計測する測温センサと、前記電気光学パネルに照射される外光の照度を直接あるいは間接的に検出する測光センサと、前記測温センサによる温度計測結果および前記測光センサによる照度計測結果に基づいて、前記発光素子の駆動条件を調整する光源駆動条件調整手段とを有していることを特徴とする。
【０００６】
本発明では、電気光学パネルに入射する外光の照度を直接あるいは間接的に検出する測光センサを設け、光源駆動条件調整手段は、測光センサによる外光の照度計測結果に基づいて、発光素子の駆動条件を調整する。このため、外光の照度が変動した場合には、その照度において、高い品位で画像を表示するのに必要、かつ、十分な光量をバックライト装置から電気光学パネルに供給できる。また、本発明では、発光素子あるいは電気光学パネル周辺の温度を直接あるいは間接的に計測する測温センサを設け、光源駆動条件調整手段は、測温センサによる温度計測結果に基づいて、発光素子の駆動条件を調整する。このため、発光素子の寿命を十分、確保できる条件で発光素子を駆動することができ、かつ、省電力化を図ることができる。よって、発光素子の寿命確保および省電力化を図りながら、かつ、品位の高い画像を表示することができる。
【０００７】
本発明において、前記測光センサは、前記電気光学パネルの、画像が表示される側の面上の画像表示領域近傍、かつ、該画像表示領域を避けた領域に配置されていることが好ましい。電気光学パネルには元々、可撓性基板が接続されているなど、周辺との電気的な接続が可能になっているので、電気光学パネルに測光センサを構成しておけば、新たな配線などが不要である。また、電気光学パネルの、画像が表示される側の面上の画像表示領域近傍に測光センサを構成しておけば、ユーザーが感じる照度により近い照度を正確に計測できるので、発光素子の駆動条件をより最適に調整できるという利点がある。また、電気光学パネルの、画像表示領域を避けた領域に測光センサを構成しておけば、画像表示領域を狭くする必要がないという利点がある。
【０００８】
本発明において、前記測光センサは、前記電気光学パネルにおいて、前記画像表示領域よりも前記パネル駆動手段が設けられている側に配置されていることが好ましい。このように構成すると、測光センサに対する配線を長く引き回す必要がない。
【０００９】
本発明において、前記光源駆動条件調整手段は、例えば、前記測温センサによる温度計測結果に基づいて、温度が高いときには前記発光素子の発光強度を低くし、温度が低いときには前記発光素子の発光強度を高くするとともに、前記測光センサによる照度計測結果に基づいて、外光の照度が高いときには前記発光素子の発光強度を低くし、外光の照度が低いときには前記発光素子の発光強度を高くする。電気光学パネルが、入射した外光が反射して出射される際に当該外光を光変調して反射モードでの画像の表示および前記透過モードでのみ画像の表示を行う半透過反射型電気光学パネルである場合、外光の照度が高ければ反射モードで表示された画像で、十分な輝度を確保できるので、バックライト装置から出射される光量を低く設定してもよい。従って、発光素子の寿命確保、および省電力化を図りながら、かつ、品位の高い画像を表示することができる。
【００１０】
本発明において、前記光源駆動条件調整手段は、例えば、前記測温センサによる温度計測結果および前記測光センサによる照度計測結果に基づいて、前記発光素子に印加する電圧値あるいは電流値を調整する。
【００１１】
本発明において、前記光源駆動手段が光源駆動用ＩＣであり、前記パネル駆動手段がパネル駆動用ＩＣである場合、前記パネル駆動用ＩＣには、前記光源駆動条件調整手段が構成されているとともに、前記測温センサによる温度計測結果および前記測光センサによる照度計測結果が入力される構成を採用することができる。
【００１２】
本発明において、前記光源駆動手段が光源駆動用ＩＣであり、前記パネル駆動手段がパネル駆動用ＩＣである場合、前記光源駆動用ＩＣには、前記光源駆動条件調整手段が構成されているとともに、前記測温センサによる温度計測結果および前記測光センサによる照度計測結果が入力される構成を採用してもよい。
【００１３】
本発明において、前記光源駆動手段が光源駆動用ＩＣであり、前記パネル駆動手段がパネル駆動用ＩＣである場合、前記測温センサおよび前記測光センサの少なくとも一方は、前記光源駆動用ＩＣ内または前記パネル駆動用ＩＣ内に構成されていることが好ましい。測温センサを光源駆動用ＩＣ内またはパネル駆動用ＩＣ内に構成すれば、温度発生源となる電子部品の近傍に測温センサを配置することができるので、周辺温度を正確に測定できる。
【００１４】
本発明において、さらに、前記電気光学パネルを保持するフレームを有している場合、前記測光センサには、前記フレームに設けられた透過部を介して外光が入射される構成を採用することができる。
【００１５】
本発明において、さらに、前記電気光学パネルを保持するフレームを有している場合、前記測光センサは、前記フレーム内に設けられ、前記測光センサには、前記フレーム内に入射した外光が間接的に入射される構成を採用してもよい。
【００１６】
本発明に係る電気光学装置は、携帯電話機やモバイルコンピュータなどといった電子機器に用いることができる。電気機器のうち、携帯電話機やモバイルコンピュータなどの携帯用電子機器は、屋外で使用するなど、外光の照度や環境温度が頻繁に変化するような条件下で使用されるので、本発明を携帯用電子機器に適用すれば、環境にあった条件で発光素子を駆動でき、かつ、外光の照度にかかわらず、品位の画像で表示できる。
【発明を実施するための最良の形態】
【００１７】
図面を参照して、本発明の実施の形態を説明する。
【００１８】
［実施の形態１］
（電気光学装置の全体構成）
図１および図２は、本発明の実施の形態１に係る電気光学装置の構成を示す分解斜視図、および断面図である。図３は、本発明を適用した電気光学装置の電気的構成を示すブロック図である。図４は、本発明の実施の形態１に係る電気光学装置の画素１つ分の断面図である。
【００１９】
図１に示すように、本形態の電気光学装置１は、バックライト装置６、電気光学パネル１０、および遮光性のフレーム７がこの順に重ねて配置されている。フレーム７は、電気光学パネル１０の画像表示領域１１に対応する領域が光透過領域７１になっており、利用者が電気光学パネル１０の画像表示領域１１に表示された画像を視認できるようになっている。
【００２０】
バックライト装置６は、光源としての複数のＬＥＤ６１（発光素子）と、これらのＬＥＤ６１から出射された光が側端面から入射して出射面６２から出射される樹脂製の導光板６３とを備えており、導光板６１の出射面６２側に電気光学パネル１０が対向配置されている。さらに、バックライト装置６においては、例えば、導光板６１の出射面６２の側に光散乱シート６６が配置され、反対側の面にはプリズムシート６７が配置される。
【００２１】
電気光学パネル１０は、例えば、ネマチック液晶を用いたアクティブマトリクス型のカラー液晶パネルであり、電気光学パネル１０の両面には入射側偏光板１５および出射側偏光板１６が積層されている。電気光学パネル１０は、後述するように、画素電極やＴＦＤ素子などが形成された素子基板２０と、対向電極やカラーフィルタなどが形成された対向基板３０がシール材１４によって所定の間隙を介して貼り合わされ、その基板間に液晶層１２が保持されている。
【００２２】
素子基板２０は、対向基板３０よりも大きく、素子基板２０の対向基板３０からの張り出し領域１８にパネル駆動用ＩＣ３がＣＯＧ（Ｃｈｉｐ  Ｏｎ  Ｇｌａｓｓ）実装されている。ここで、パネル駆動用ＩＣ３には、後述するデータ線駆動回路や走査線駆動回路が構成されているとともに、電気光学装置１全体で用いる各種電圧を生成する電源回路も構成されている。また、電気光学パネル１０の張り出し領域１８には、パネル駆動用ＩＣ３に信号や電源を供給する可撓性基板４の端部も実装されている。可撓性基板４には、バクライト装置６のＬＥＤ６１が実装されているとともに、ＬＥＤ６１を駆動するためのＬＥＤ駆動回路が構成されたＬＥＤ駆動用ＩＣ６４も実装されている。ＬＥＤ駆動用ＩＣ６４は、所定のデューティ比をもって電流を供給する。ここで、可撓性基板４は、電気光学パネル１０の側から導光板６３の側まで引き回され、ＬＥＤ６１の出射光軸を導光板６３の側端面を向けた状態に位置決めされている。
【００２３】
図３に示すように、本形態の電気光学装置１において、電気光学パネル１０は、画素スイッチング用非線形素子としてＴＦＤを用いたアクティブマトリクス型の液晶パネルであり、複数本の走査線３１が行方向に形成され、複数本のデータ線２１が列方向に形成されている。走査線３１とデータ線２１との各交差部分には画素１９が形成されている。各画素１９では、ネマチック液晶からなる液晶層１２と、二端子型アクティブ素子たるＴＦＤ素子１３とが直列接続している。ここに示す例では、液晶層１２が走査線３１の側に接続され、ＴＦＤ素子１３がデータ線２１の側に接続されている。なお、液晶層１２がデータ線２１の側に接続され、ＴＦＤ素子１３が走査線３１の側に接続されている構成であってもよい。各走査線３１は、パネル駆動用ＩＣ３に内蔵の走査線駆動回路２６０によって駆動される一方、各データ線２１は、パネル駆動用ＩＣ３に内蔵のデータ線駆動回路２５０によって駆動される。
【００２４】
本形態の電気光学パネル１０では、図４に示すように、素子基板２０の側には、感光性樹脂などからなる凹凸形成層２４、アルミニウムなどからなる反射層２５、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などからなる透明な画素電極２６、およびポリイミド樹脂などからなる配向膜２７がこの順に形成され、画素電極２６は、図３に示すように、ＴＦＤ素子１３を介してデータ線２１に接続している。反射層２５の表面には、凹凸形成層２４によって光散乱用凹凸が形成されている。また、反射層２５には、一部が除去されて光透過部２８になっている。なお、図４に示す例では、凹凸形成層２４は、光透過部２８から完全に除去されているが、残っていてもよい。
【００２５】
これに対して、対向基板３０の側には、画素電極２６の境界領域に相当する部分に遮光膜３４が形成され、その上層側にカラーフィルタ層３５、平坦化膜３６、ＩＴＯなどからなる走査線３１としての対向電極３７、および配向膜３８がこの順に形成されている。
【００２６】
このように構成した素子基板２０と対向基板３０との間には電気光学物質としての液晶層１２が保持されており、画素電極２６と対向電極３７との間に印加した電界によって液晶の配向状態を制御可能である。従って、本形態の電気光学装置１では、図１および図２に示すバックライト装置６の導光板６３から出射された光は、矢印Ｌ１で示すように、光透過部２８から液晶層１２に入射した後、対向基板３０の側から出射される間に光変調され、透過モードで所定のカラー画像を表示する。また、対向基板３０の側から入射した外光は、矢印Ｌ２で示すように、液晶層１２を通って反射層２５に到達し、この反射層２５で反射して、再び液晶層１２を通って対向基板３０の側から出射される間に光変調され、反射モードで所定のカラー画像を表示する。
【００２７】
［ＬＥＤ駆動条件調整のための構成］
図５は、バックライト装置に用いたＬＥＤの環境温度と定格電流値との関係を示すグラフである。図６は、本発明の実施の形態１に係る電気光学装置において、ＬＥＤの駆動条件を調整するための構成を示す機能ブロック図である。図７は、本発明の実施の形態１に係る電気光学装置における外光の照度とＬＥＤ駆動条件との関係を示すグラフである。
【００２８】
本形態の電気光学装置１において、バックライト装置６の光源として用いたＬＥＤ６１は、所定の寿命を確保するために、図５に実線Ｌ５で示すように、環境温度に対して定格電流（最大電流）が規定されている。ここに示す例では、環境温度が例えば５０℃以下の場合には、定格電流値が一定であり、環境温度が５０℃を超えると、定格電流値が直線的に小さくなるように規定されている。従って、電気光学装置１の温度保証範囲が７０℃と設定されている場合、環境温度が７０℃のときの定格電流値でＬＥＤ６１を常に駆動すれば、寿命は確保できる代わりに、表示光量が不足するおそれがある。これに対して、環境温度が５０℃のときの定格電流値でＬＥＤ６１を常に駆動すれば、十分な表示光量を確保できる代わりに、環境温度が５０℃を超えた場合に、ＬＥＤ６１の寿命が低下してしまう。
【００２９】
そこで、本形態の電気光学装置１では、図６に示すように、ＬＥＤ６１あるいは電気光学パネル１０周辺の温度を直接あるいは間接的に計測する測温センサ７と、電気光学パネル１０に入射する外光の照度を直接あるいは間接的に検出するフォトダイオードやＣｄＳセルなどの測光センサ８と、測温センサ７による温度計測結果および測光センサ８による照度計測結果に基づいて、ＬＥＤ６２の駆動条件を調整する光源駆動条件調整部９とが構成されている。
【００３０】
より具体的には、可撓性基板４には測温センサ７が実装されている一方、パネル駆動用ＩＣ３には光源駆動条件調整部９が内蔵されており、測温センサ７の温度計測結果は、可撓性基板４を介してパネル駆動用ＩＣ３の光源駆動条件調整部９に入力されるようになっている。また、電気光学パネル１０では、素子基板２０の表面のうち、画像表示領域１１を避けた領域に測光センサ８が実装され、測光センサ８での照度計測結果は、素子基板２０を介してパネル駆動用ＩＣ３の光源駆動条件調整部９に入力されるようになっている。ここで、図１および図２に示すフレーム７には、測光センサ８に対向する部分に透光部７２が形成され、外光が直接、測光センサ８に到達するようになっている。ここで、透光部７２は、フレーム７に開口された穴や、フレーム７の一部が透光性の部材で形成されている構成が考えられる。このように、フレーム７に透光部７２が設けられていることで、電気光学パネル１０の画像表示領域１１を避けた領域に測光センサ８が設けられていても、透過部７２を介して外光を直接測定することができる。特に、配線の引き回しをできるだけ短くするために、電気パネル１０やＬＥＤ駆動用ＩＣ６４の近傍に測光センサ８を配置した場合、ＩＣはフレーム７で覆うのが望ましいので、通常その近傍に配置された測光センサ８もフレーム７で覆われてしまう。このような場合でも、ＬＥＤ駆動用ＩＣ６４はフレーム７で覆い、測光センサ８に対応する部分のみ透過部７２とすることが可能となる。
【００３１】
このように構成した電気光学装置１において、光源駆動条件調整部９は、測温センサ７による温度計測結果に基づいて、基本的には、図５に実線Ｌ５で示す電流値でＬＥＤ６１を駆動するようにＬＥＤ駆動ＩＣ６４を制御する。すなわち、光源駆動条件調整部９は、温度が高い場合には、ＬＥＤ６１に供給する駆動電流を低減させ、温度が低い場合には、ＬＥＤ６１に供給する駆動電流を増大させるようにＬＥＤ駆動ＩＣ６４を制御する。
【００３２】
また、本形態の電気光学装置１において、電気光学パネル１０は、半透過反射型であり、このような電気光学パネル１０において、反射モードでの画像は、外光の照度が高ければ、十分に品位の高い画像を表示でき、透過モードで表示される画像には高い輝度を必要としない。従って、光源駆動条件調整部９は、図７に示すように、測光センサ７による照度計測結果において、外光の照度が高い場合には、ＬＥＤ６１に供給する駆動電流を低減させ、外光の照度が低い場合には、ＬＥＤ６１に供給する駆動電流を増大させるようにＬＥＤ駆動ＩＣ６４を制御する。すなわち、光源駆動条件調整部９は、外光の照度が低ければ、そのときの測温センサ７による温度計測結果も考慮して、図５に実線Ｌ５で示す電流値でＬＥＤ６１を駆動するようにＬＥＤ駆動ＩＣ６４を制御するが、外光の照度が高い場合には、図５に実線Ｌ５１で示す電流値でＬＥＤ６１を駆動するようにＬＥＤ駆動ＩＣ６４を制御し、外光の照度がさらに高い場合には、図５に実線Ｌ５２で示す電流値でＬＥＤ６１を駆動するようにＬＥＤ駆動ＩＣ６４を制御する。従って、ＬＥＤ６１は、外光の照度が高ければ発光強度が低い条件で駆動され、外光の照度が低ければ発光強度が高い条件で駆動される。
【００３３】
このように、本形態の電気光学装置１では、外光の照度を監視し、外光の照度が変動した場合には、その照度において高い品位で画像を表示するのに必要、かつ、十分な光量をバックライト装置６から電気光学パネル１０に供給する。また、本形態の電気光学装置１では、温度を監視し、その温度に対応する定格電流値の範囲内でＬＥＤ６１を駆動する。それ故、バックライト装置６から不必要に高い光量の光がＬＥＤ６１から出射されることがなく、かつ、定格電流を超えた条件でＬＥＤ６１が駆動されることがないので、ＬＥＤ６１の寿命を延ばすことができ、かつ、省電力化を図ることができる。よって、本形態の電気光学装置１によれば、ＬＥＤ６１の寿命確保、および省電力化を図りながら、かつ、品位の高い画像を表示することができる。
【００３４】
また、本形態では、可撓性基板４に対して測温センサ７を実装する一方、測光センサ８を電気光学パネル１０に実装している。また、パネル駆動用ＩＣ３に光源駆動条件調整部９を内蔵させている。このため、測温センサ７での計測結果、および測光センサ８での計測結果を可撓性基板４および素子基板２０を介してパネル駆動用ＩＣ３の光源駆動条件調整部９に出力することができので、可撓性基板４や素子基板２０以外の場所に測温センサ７や測光センサ８を配置した場合と違って、配線などを無駄に引き回す必要がないという利点がある。
【００３５】
さらに、測光センサ８を電気光学パネル１０の、画像が表示される側の面上の画像表示領域１１近傍に実装しているため、電気光学パネル１０の反対側の面に配置した場合と比較して、ユーザーが感じる照度により近い照度を正確に計測できる。従って、ＬＥＤ６１の駆動条件をより最適に調整できるという利点がある。また、電気光学パネル１０の、画像表示領域１１を避けた領域に測光センサ８を配置したので、画像表示領域１１を狭くする必要がない。さらに、測光センサ８は、画像表示領域１１よりも、パネル駆動用ＩＣ３が実装されている側に配置されているため、測光センサ８に対する配線を長く引き回す必要がない。
【００３６】
なお、測温センサ７をＬＥＤ６１の近傍に配置すれば、発熱部品であるＬＥＤ６１の周辺温度を測定するのに好適である。また、測温センサ７をパネル駆動用ＩＣ３やＬＥＤ駆動ＩＣ６４の近傍に配置すれば、発熱部品である電子部品の周辺温度を測定するのに好適である。
【００３７】
［実施の形態２］
図８は、本発明の実施の形態２に係る電気光学装置において、ＬＥＤの駆動条件を調整するための構成を示す機能ブロック図である。なお、本形態および以下に説明する実施の形態３、４に係る電気光学装置は、基本的な構成が実施の形態１と共通しているので、共通している部分については同一の符号を付してそれらの説明を省略する。
【００３８】
図８に示すように、本形態の電気光学装置１にも、実施の形態１と同様、ＬＥＤ６１あるいは電気光学パネル１０周辺の温度を直接あるいは間接的に計測する測温センサ７と、電気光学パネル１０に入射する外光の照度を直接あるいは間接的に検出するフォトダイオードやＣｄＳセルなどの測光センサ８と、測温センサ７による温度計測結果および測光センサ８による照度計測結果に基づいて、ＬＥＤ６１の駆動条件を調整する光源駆動条件調整部９が構成されている。
【００３９】
より具体的には、可撓性基板４には測温センサ７が実装されている一方、ＬＥＤ駆動用ＩＣ６４に光源駆動条件調整部９が内蔵され、測温センサ７での温度計測結果が可撓性基板４を介してＬＥＤ駆動用ＩＣ６４の光源駆動条件調整部９に入力されるようになっている。また、電気光学パネル１０において、素子基板２０の表面のうち、画像表示領域１１を避けた領域に測光センサ８が実装され、測光センサ８での照度計測結果が素子基板２０および可撓性基板４を介してＬＥＤ駆動用ＩＣ６４の光源駆動条件調整部９に入力されるようになっている。なお、図１および図２を参照して説明したように、フレーム７において、測光センサ８に対向する部分に透光部７２が形成され、外光が直接、測光センサ８に到達するようになっている。
【００４０】
本形態でも、実施の形態１と同様、光源駆動条件調整部９は、測温センサ７による温度計測結果において、温度が高い場合には、ＬＥＤ６１に供給する駆動電流を低減させ、温度が低い場合には、ＬＥＤ６１に供給する駆動電流を増大させるように、ＬＥＤ駆動ＩＣ６４を制御する。また、本形態でも、実施の形態１と同様、電気光学パネル１０が半透過反射型であることから、光源駆動条件調整部９は、測光センサ７による照度計測結果において、照度が高い場合には、ＬＥＤ６１に供給する駆動電流を低減させ、照度が低い場合には、ＬＥＤ６１に供給する駆動電流を増大させるように、ＬＥＤ駆動ＩＣ６４を制御する。従って、本形態の電気光学装置１では、外光の照度を監視し、外光の照度が変動した場合には、その照度において高い品位で画像を表示するのに必要、かつ、十分な光量をバックライト装置６から電気光学パネル１０に供給する。また、本形態の電気光学装置１では、温度を監視し、その温度に対応する定格電流値の範囲内でＬＥＤ６１を駆動する。それ故、定格電流を超えた条件でＬＥＤ６１が駆動されることがないので、ＬＥＤ６１の寿命を延ばすことができる。よって、本形態の電気光学装置１によれば、ＬＥＤ６１の寿命確保、および省電力化を図りながら、かつ、品位の高い画像を表示することができる。
【００４１】
また、本形態では、可撓性基板４に測温センサ７が実装されている一方、測光センサ８が電気光学パネル１０に実装され、かつ、ＬＥＤ駆動用ＩＣ６４に光源駆動条件調整部９が内蔵されている。このため、測温センサ７での計測結果、および測光センサ８での計測結果を可撓性基板４および素子基板２０を介して光源駆動条件調整部９に出力することができので、可撓性基板４や素子基板２０以外の場所に測温センサ７や測光センサ８を配置した場合と違って、配線などを無駄に引き回す必要がないなど、実施の形態１と同様な効果を奏する。
【００４２】
［実施の形態３］
図９は、本発明の実施の形態３に係る電気光学装置において、ＬＥＤの駆動条件を調整するための構成を示す機能ブロック図である。
【００４３】
図９に示すように、本形態の電気光学装置１にも、実施の形態１と同様、ＬＥＤ６１あるいは電気光学パネル１０周辺の温度を直接あるいは間接的に計測する測温センサ７と、電気光学パネル１０に入射する外光の照度を直接あるいは間接的に検出するフォトダイオードやＣｄＳセルなどの測光センサ８と、測温センサ７による温度計測結果および測光センサ８による照度計測結果に基づいて、ＬＥＤ６１の駆動条件を調整する光源駆動条件調整部９が構成されている。
【００４４】
より具体的には、パネル駆動用ＩＣ３には測温センサ７および光源駆動条件調整部９が内蔵され、測温センサ７での温度計測結果が光源駆動条件調整部９に入力されるようになっている。また、電気光学パネル１０において、素子基板２０の表面のうち、画像表示領域１１を避けた領域に測光センサ８が実装され、測光センサ８での照度計測結果が素子基板２０および可撓性基板４を介してパネル駆動用ＩＣ３の光源駆動条件調整部９に入力されるようになっている。なお、図１および図２を参照して説明したように、フレーム７において、測光センサ８に対向する部分に透光部７２が形成され、外光が直接、測光センサ８に到達するようになっている。
【００４５】
本形態でも、実施の形態１と同様、光源駆動条件調整部９は、測温センサ７による温度計測結果において、温度が高い場合には、ＬＥＤ６１に供給する駆動電流を低減させ、温度が低い場合には、ＬＥＤ６１に供給する駆動電流を増大させるように、ＬＥＤ駆動ＩＣ６４を制御する。また、本形態でも、実施の形態１と同様、電気光学パネル１０が半透過反射型であることから、光源駆動条件調整部９は、測光センサ７による照度計測結果において、照度が高い場合には、ＬＥＤ６１に供給する駆動電流を低減させ、照度が低い場合には、ＬＥＤ６１に供給する駆動電流を増大させるように、ＬＥＤ駆動ＩＣ６４を制御する。従って、本形態の電気光学装置１では、外光の照度を監視し、外光の照度が変動した場合には、その照度において高い品位で画像を表示するのに必要、かつ、十分な光量をバックライト装置６から電気光学パネル１０に供給する。また、本形態の電気光学装置１では、温度を監視し、その温度に対応する定格電流値の範囲内でＬＥＤ６１を駆動する。それ故、定格電流を超えた条件でＬＥＤ６１が駆動されることがないので、ＬＥＤ６１の寿命を延ばすことができる。よって、本形態の電気光学装置１によれば、ＬＥＤ６１の寿命確保、および省電力化を図りながら、かつ、品位の高い画像を表示することができる。
【００４６】
また、本形態では、測温センサ７および光源駆動条件調整部９をパネル駆動用ＩＣ３に内蔵させてパッケージ化、チップ化を図ってあるため、測温センサ７として単体の部品を用いる必要がないという利点がある。しかも、パネル駆動用ＩＣ３に測温センサ７を内蔵させてあるので、発熱部品である電子部品の周辺温度を測定するのに好適である。
【００４７】
［実施の形態４］
図１０は、本発明の実施の形態４に係る電気光学装置において、ＬＥＤの駆動条件を調整するための構成を示す機能ブロック図である。
【００４８】
図１０に示すように、本形態の電気光学装置１にも、実施の形態１と同様、ＬＥＤ６１あるいは電気光学パネル１０周辺の温度を直接あるいは間接的に計測する測温センサ７と、電気光学パネル１０に入射する外光の照度を直接あるいは間接的に検出するフォトダイオードやＣｄＳセルなどの測光センサ８と、測温センサ７による温度計測結果および測光センサ８による照度計測結果に基づいて、ＬＥＤ６１の駆動条件を調整する光源駆動条件調整部９が構成されている。
【００４９】
より具体的には、ＬＥＤ駆動用ＩＣ６４には測温センサ７および光源駆動条件調整部９が内蔵され、測温センサ７での温度計測結果が光源駆動条件調整部９に入力されるようになっている。また、電気光学パネル１０において、素子基板２０の表面のうち、画像表示領域１１を避けた領域に測光センサ８が実装され、測光センサ８での照度計測結果が素子基板２０および可撓性基板４を介してＬＥＤ駆動用ＩＣ６４の光源駆動条件調整部９に入力されるようになっている。なお、図１および図２を参照して説明したように、フレーム７において、測光センサ８に対向する部分に透光部７２が形成され、外光が直接、測光センサ８に到達するようになっている。
【００５０】
本形態でも、実施の形態１と同様、光源駆動条件調整部９は、測温センサ７による温度計測結果において、温度が高い場合には、ＬＥＤ６１に供給する駆動電流を低減させ、温度が低い場合には、ＬＥＤ６１に供給する駆動電流を増大させるように、ＬＥＤ駆動ＩＣ６４を制御する。また、本形態でも、実施の形態１と同様、電気光学パネル１０が半透過反射型であることから、光源駆動条件調整部９は、測光センサ７による照度計測結果において、照度が高い場合には、ＬＥＤ６１に供給する駆動電流を低減させ、照度が低い場合には、ＬＥＤ６１に供給する駆動電流を増大させるように、ＬＥＤ駆動ＩＣ６４を制御する。従って、本形態の電気光学装置１では、外光の照度を監視し、外光の照度が変動した場合には、その照度において高い品位で画像を表示するのに必要、かつ、十分な光量をバックライト装置６から電気光学パネル１０に供給する。また、本形態の電気光学装置１では、温度を監視し、その温度に対応する定格電流値の範囲内でＬＥＤ６１を駆動する。それ故、定格電流を超えた条件でＬＥＤ６１が駆動されることがないので、ＬＥＤ６１の寿命を延ばすことができる。よって、本形態の電気光学装置１によれば、ＬＥＤ６１の寿命確保、および省電力化を図りながら、かつ、品位の高い画像を表示することができる。
【００５１】
また、本形態では、測温センサ７および光源駆動条件調整部９をＬＥＤ駆動用ＩＣ６４に内蔵させてパッケージ化、チップ化を図ってあるため、測温センサ７として単体の部品を用いる必要がないという利点がある。しかも、ＬＥＤ駆動用ＩＣ６４に測温センサ７を内蔵させてあるので、発熱部品である電子部品の周辺温度を測定するのに好適である。
【００５２】
［その他の実施の形態］
上記の実施の形態１〜４では、半透過反射型の電気光学装置１に本発明を適用したが、図１１に示す画素構成を有する全透過型の電気光学装置１に本発明を適用してもよい。図１１に示す全透過型の電気光学装置１では、素子基板２０の側には、ＩＴＯなどからなる透明な画素電極２６、およびポリイミド樹脂などからなる配向膜２７がこの順に形成され、画素電極２６は、ＴＦＤ素子１３を介してデータ線２１に接続している。これに対して、対向基板３０の側には、画素電極２６の境界領域に相当する部分に遮光膜３４が形成され、その上層側にカラーフィルタ層３５、平坦化膜３６、ＩＴＯなどからなる走査線３１としての対向電極３７、および配向膜３８がこの順に形成されている。このように構成した素子基板２０と対向基板３０との間には電気光学物質としての液晶層１２が保持されており、画素電極２６と対向電極３７との間に印加した電界によって液晶の配向状態を制御可能である。従って、図１１に示す電気光学装置１では、図１および図２に示すバックライト装置６の導光板６３から出射された光は、矢印Ｌ１で示すように、液晶層１２に入射した後、対向基板３０の側から出射される間に光変調され、透過モードで所定のカラー画像を表示する。
【００５３】
このように構成した電気光学装置１にも、実施の形態１〜４で説明したように、ＬＥＤ６１の温度を直接あるいは間接的に計測する測温センサ７と、電気光学パネル１０に入射する外光の照度を直接あるいは間接的に検出するフォトダイオードやＣｄＳセルなどの測光センサ８と、測温センサ７による温度計測結果および測光センサ８による照度計測結果に基づいて、ＬＥＤ６１の駆動条件を調整する光源駆動条件調整部９を構成すれば、高い品位で画像を表示するのに必要、かつ、十分な光量の光をバックライト装置６から電気光学パネル１０に供給する。それ故、ＬＥＤ６１の寿命確保、および省電力化を図りながら、かつ、品位の高い画像を表示することができる。
【００５４】
なお、全透過型の電気光学装置１の場合、光源駆動条件調整部９は、測温センサ７による温度計測結果において、温度が高い場合には、ＬＥＤ６１に供給する駆動電流を低減させ、温度が低い場合には、ＬＥＤ６１に供給する駆動電流を増大させるように、ＬＥＤ駆動ＩＣ６４を制御する点では半透過反射型の電気光学装置１と同様である。
【００５５】
但し、全透過型の電気光学装置１の場合、図１２に実線７で示すように、外光の照度が高ければ透過モードで表示された画像の品位が低下するので、バックライト装置６から出射される光量を高く設定し、画像の品位を高める。これに対して、外光の照度が低ければ、バックライト装置６から出射される光量が低くても画像が見やすいので、バックライト装置６から出射される光量を低く設定すればよい。
【００５６】
また、上記の実施の形態１〜４のいずれにおいても、温度および外光の照度の計測結果に基づいて、ＬＥＤ６１に対する駆動電流を調節したが、温度および外光の照度の計測結果に基づいて、印加電圧を制御してもよく、また、ＬＥＤ６１をデューティ駆動する際のデューティ比を調節してもよい。
【００５７】
さらに、上記の実施の形態１〜４のいずれにおいても、フレーム７において、測光センサ８に対向する部分に透光部７２が形成され、外光が直接、測光センサ８に到達するようになっていたが、図１３に示すように、図１および図２を参照して説明した透光部７２をフレーム７から省略してもよい。このように構成した場合には、フレーム７の光透過領域７１から入射した外光は、対向基板３０によって測光センサ８に導かれるので、外光の照度を間接的に計測することができる。
【００５８】
さらにまた、上記の実施の形態１〜４はいずれも、アクティブ素子としてＴＦＤ素子を用いた液晶パネルを備えた電気光学装置を例に説明したが、アクティブ素子としてＴＦＴを用いた液晶パネルを備えた電気光学装置などに本発明を適用してもよい。この場合、測光センサ８についは、ＴＦＴを形成する際の半導体膜、および不純物導入を利用してフォトセンサを形成してもよい。
【００５９】
さらにまた、上記の実施の形態１〜４はいずれも、ＣＯＧ技術を採用した電気光学装置１に本発明を適用した例であったが、パネル駆動用ＩＣ３がＣＯＦ（Ｃｈｉｐ  Ｏｎ  Ｆｉｌｍ）実装された可撓性基板４を電気光学パネル１０に実装した電気光学装置１に本発明を適用してもよい。
【００６０】
また、上記の実施の形態１〜４のいずれにおいても、バックライト装置６の光源としてＬＥＤ６１を用いた例を説明したが、エレクトロルミネッセンス素子を光源とした場合に本発明を適用してもよい。
【００６１】
［電子機器および電気光学装置の全体構成］
図１４（Ａ）、（Ｂ）は、本発明を適用した電子機器の一例としての折り畳み式携帯電話機を折り畳んだ状態、および開いた状態の説明図である。
【００６２】
本発明を適用した電気光学装置は、例えば、図１４（Ａ）、（Ｂ）に示す折り畳み式の携帯電話機３００に用いられる。この携帯電話３００では、蓋体３３０がヒンジ部３４０を介して操作本体３５０に回動自在に連結されている。携帯電話機３００は、蓋体３３０を開いたときに蓋体３３０の内側で画像を表示するメイン表示部３１１を備える一方、蓋体３３０の外側には、蓋材３３０を操作本体３５０に折り重ねたときに画像を表示するサブ表示部３２１を備えている。このような折り畳み式の携帯電話機３００に本発明を適用するにあたっては、メイン表示部３１１、あるいはサブ表示部３２１を構成する電気光学装置の双方に本発明を適用してもよいし、メイン表示部３１１を構成する電気光学装置のみに本発明を適用してもよい。
【図面の簡単な説明】
【００６３】
【図１】本発明の実施の形態１に係る電気光学装置の構成を示す分解斜視図である。
【図２】図１に示す電気光学装置の断面図である。
【図３】本発明を適用した電気光学装置の電気的構成を示すブロック図である。
【図４】本発明の実施の形態１に係る半透過反射型の電気光学装置の画素１つ分の断面図である。
【図５】バックライト装置に用いたＬＥＤの環境温度と定格電流値との関係を示すグラフである。
【図６】本発明の実施の形態１に係る電気光学装置において、ＬＥＤの駆動条件を調整するための構成を示す機能ブロック図である。
【図７】本発明の実施の形態１に係る電気光学装置における外光の照度とＬＥＤ駆動条件との関係を示すグラフである。
【図８】本発明の実施の形態２に係る電気光学装置において、ＬＥＤの駆動条件を調整するための構成を示す機能ブロック図である。
【図９】本発明の実施の形態３に係る電気光学装置において、ＬＥＤの駆動条件を調整するための構成を示す機能ブロック図である。
【図１０】本発明の実施の形態４に係る電気光学装置において、ＬＥＤの駆動条件を調整するための構成を示す機能ブロック図である。
【図１１】本発明に係る全透過型の電気光学装置の画素１つ分の断面図である。
【図１２】図１１に示す電気光学装置に本発明を適用した場合における外光の照度とＬＥＤ駆動条件との関係を示すグラフである。
【図１３】本発明を適用した別の電気光学装置の構成を示す分解斜視図である。
【図１４】（Ａ）、（Ｂ）は、本発明を適用した電子機器の一例としての携帯電話機の折り畳んだ状態を示す説明図、およびこの携帯電話機を開いた状態の説明図である。
【符号の説明】
【００６４】
１  電気光学装置、３  パネル駆動用ＩＣ（パネル駆動手段）、４  可撓性基板、６  バックライト装置、７  測温センサ、８  測光センサ、９  光源駆動条件調整部（光源駆動条件調整手段）、１０  電気光学パネル、１１  画像表示領域、２０  素子基板、３０  対向基板、６１  ＬＥＤ（発光素子）、６２  導光板、６４  ＬＥＤ駆動用ＩＣ（光源駆動手段）
【図１】
2006039242.tif 000003
【図２】
2006039242.tif 000004
【図３】
2006039242.tif 000005
【図４】
2006039242.tif 000006
【図５】
2006039242.tif 000007
【図６】
2006039242.tif 000008
【図７】
2006039242.tif 000009
【図８】
2006039242.tif 000010
【図９】
2006039242.tif 000011
【図１０】
2006039242.tif 000012
【図１１】
2006039242.tif 000013
【図１２】
2006039242.tif 000014
【図１３】
2006039242.tif 000015
【図１４】
2006039242.tif 000016